(57)【要約】【課題】デジタル画像など表示機能及び電子メール受信機能を備え、デジタル画像の表示中に、視認者を認識して、当該視認者に対応した電子メールを表示することが可能な画像表示方法、プログラム、及び、画像表示装置を提供する。【解決手段】画像表示装置１００を、画像データ、電子メール及び顔の認証情報が記憶された記憶部３００と、ディスプレイ２１４と、記憶部３００から画像データ電子メール及び顔の認証情報を読み出して、画像データをディスプレイ２１４に表示する画像表示処理部２３０、顔の認証情報を基に撮像部２１２により撮影された人物の顔の認証を行う顔認証部２４０、及び、この顔認証部２４０により認証された人物が宛先に指定された電子メールをディスプレイ２１４に表示する電子メール処理部２５０と、これらを制御する制御部２２０とから構成する。【選択図】図２
2011053925.tif 000002
【特許請求の範囲】
【請求項１】
画像データ、電子メール及び登録ユーザの認証情報が記憶された記憶部と、
前記画像データ又は前記電子メールが表示される表示部と、
前記表示部の周囲にいる人の情報を検出する検出部と、
前記画像データを前記記憶部から読み出して前記表示部に表示するか、又は、前記検出部で人の情報が検出されているときに、前記人の情報から当該人を特定する識別情報を検出し、前記検出された識別情報が前記記憶部から読み出した前記登録ユーザの認証情報と一致するか否かを判定し、一致する場合は、当該登録ユーザを宛先とする電子メールを前記表示部に表示し、一致しない場合は前記画像データを前記表示部に表示する制御部と、
を有する画像表示装置。
【請求項２】
前記制御部は、複数の登録ユーザが検出された場合に、当該複数の登録ユーザ全てを宛先とする前記電子メールを前記表示部に表示し、検出された前記登録ユーザのうち少なくとも一人が前記宛先に含まれない場合には前記電子メール表示しないよう構成された請求項１に記載の画像表示装置。
【請求項３】
前記検出部は、前記表示部の周囲にいる人の認証用画像データを撮影する撮像装置であり、前記制御部は、前記撮像装置で撮影された前記認証用の画像データから前記識別情報として顔を検出し、当該顔と前記記憶部から読み出した前記認証情報とが一致するか否かを判定するよう構成された請求項１または２に記載の画像表示装置。
【発明の詳細な説明】
【技術分野】
【０００１】
本発明は、画像表示方法、プログラム、及び、画像表示装置に関する。
【背景技術】
【０００２】
近年、デジタルカメラによって撮影されたデジタル画像などを表示する目的で、従来から存在した写真立てを電子化した、いわゆる「デジタルフォトフレーム」などの画像表示装置が製品化されている。このような画像表示装置の中には、高機能なプロセッサが搭載されており、デジタル画像の表示機能だけでなく、ネットワーク接続機能を備える製品も存在する。このネットワーク接続機能を利用して、パーソナルコンピュータや携帯電話などの機器では従来から広く使われている機能、すなわち、電子メールを受信して表示部に表示する機能を備えた画像表示装置も製品化されている。更には、キーボードなどの入力デバイスを持たないような単純な画像表示装置においても、電子メールの受信機能を備え、受信した電子メールや画像データを表示する製品も増えてきた。
【０００３】
一方、パーソナルコンピュータなどでは、特定のユーザが利用している際に、このユーザを識別し、当該ユーザが使用中はメールやデータを表示するが、当該ユーザが離席したり、当該ユーザ以外のユーザが画面をのぞき込んだ場合などに、これを検知して表示を行わないようにすることを目的とした画像表示システムが提案されている（例えば、特許文献１参照）。
【先行技術文献】
【特許文献】
【０００４】
【特許文献１】特開２０００−３２２３５８号公報
【発明の概要】
【発明が解決しようとする課題】
【０００５】
しかしながら、デジタルフォトフレームのような画像表示機能と電子メールの受信及び表示機能のみを備えた単純な画像表示装置では、予め設定されたアカウントを用いて定期的にメールサーバにアクセスし、取得した電子メール及び画像をそのまま表示しているだけである。そのため、ユーザを個別に識別して、そのユーザに対応したメッセージなどを表示する機能を備えたものは、未だ提案されておらず、開発が望まれている。
【０００６】
本発明はこのような課題に鑑みてなされたものであり、デジタル画像などの表示機能及び電子メール受信機能を備え、デジタル画像の表示中に、ユーザを認識して、当該ユーザに対応した電子メールを表示することが可能な画像表示方法、プログラム、及び、画像表示装置を提供することを目的とする。
【課題を解決するための手段】
【０００７】
前記課題を解決するために、本発明に係る画像表示方法は、画像データ、電子メール及び登録ユーザの認証情報が記憶された記憶部と、画像データ又は電子メールが表示される表示部と、表示部の周囲にいる人の情報を検出する検出部と、画像データを記憶部から読み出して表示部に表示するか、又は、検出部で人の情報が検出されているときに、人の情報から当該人を特定する識別情報を検出し、検出された識別情報が記憶部から読み出した登録ユーザの認証情報と一致するか否かを判定し、一致する場合は、当該登録ユーザを宛先とする電子メールを表示部に表示し、一致しない場合は画像データを表示部に表示する制御部と、を有する。
【０００８】
このような画像表示装置において、制御部は、複数の登録ユーザが検出された場合に、当該複数の登録ユーザ全てを宛先とする電子メールを表示部に表示し、検出された登録ユーザのうち少なくとも一人が宛先に含まれない場合には電子メール表示しないよう構成されることが好ましい。
【０００９】
また、このような画像表示装置において、検出部は、表示部の周囲にいる人の認証用画像データを撮影する撮像装置であり、制御部は、撮像装置で撮影された認証用の画像データから識別情報として顔を検出し、当該顔と記憶部から読み出した認証情報とが一致するか否かを判定するよう構成されることが好ましい。
【発明の効果】
【００１０】
本発明に係る画像表示方法、プログラム、及び、画像表示装置を以上のように構成すると、デジタル画像などの表示機能及び電子メール受信機能を備え、デジタル画像の表示中に、画像表示装置を視認している者を認識して、当該視認者に対応した電子メールを表示することが可能となり、画像表示機能だけでなく、情報端末としての機能向上を図ることができる。
【図面の簡単な説明】
【００１１】
【図１】本実施形態の画像表示装置のハードウエア構成を表すブロック図である。
【図２】マイクロプロセッサで実行されるプログラムの機能構成を表すブロック図である。
【図３】記憶部に記憶されたシステム情報リストのデータ構造を示す図である。
【図４】画像表示装置により実行される画像表示方法の手順を示すフローチャートである。
【図５】初期化処理の手順を示すフローチャートである。
【図６】画像表示処理の手順を示すフローチャートである。
【図７】画像撮影処理の手順を示すフローチャートである。
【図８】顔認証処理の手順を示すフローチャートである。
【図９】電子メール表示処理の手順を示すフローチャートである。
【発明を実施するための形態】
【００１２】
以下、本発明の好ましい実施形態について図面を参照して説明する。まず、図１を用いて、本実施形態に係る画像表示装置１００のハードウエア構成について説明する。図１に示すように、この画像表示装置１００は、マイクロプロセッサ２０１、操作スイッチ２０２ａなどを有する操作制御部（操作パネル）２０２、ＲＯＭ（Ｒｅａｄ  Ｏｎｌｙ  Ｍｅｍｏｒｙ）２０３、ＲＡＭ（Ｒａｎｄｏｍ  Ａｃｃｅｓｓ  Ｍｅｍｏｒｙ）２０４、ネットワーク制御部２０５、ＦＬＡＳＨメモリ２０９、外部メモリ端子２１０、撮像部（検出部）２１２、ビデオコントローラ２１３、及び、ディスプレイ２１４等を有しており、これらが相互に、又はデータバス２１５を介して接続されている。
【００１３】
マイクロプロセッサ２０１は、画像表示装置１００の全体の動作を制御するものであり、ＲＯＭ２０３などに格納されているプログラムコードやこのプログラムコードが参照するデータに基づいて動作するように構成されている。ＲＯＭ２０３は、マイクロプロセッサ２０１が所定の動作を行うために必要なプログラムコードやデータを格納する記憶部となっている。ＲＡＭ２０４は、マイクロプロセッサ２０１やビデオコントローラ２１３の動作時に必要なデータの一時的な記憶を保持するための揮発性メモリとして機能するものである。
【００１４】
操作制御部２０２は、マイクロプロセッサ２０１に対して、各種操作に必要な指示を画像データや電子メールの視認を希望する者（ユーザ）が入力するものである。この操作制御部２０２には、操作スイッチ２０２ａが配置されており、視認者が操作スイッチ２０２ａを操作することにより、視認者の操作入力が実現される。また、ディスプレイ２１４をタッチパネルとして、このタッチパネルを操作制御部２０２に接続してもよい。
【００１５】
ＦＬＡＳＨメモリ２０９は、内部記憶媒体であり、ディスプレイ２１４への表示用画像、登録ユーザの設定データ、電子メールなどを格納しておく不揮発性メモリである。外部メモリ端子２１０は、メモリカードなどの外部記憶媒体２１１が接続され、この外部メモリ端子２１０を介して撮影装置２１２で撮影された画像データ及びその属性情報、ネットワーク２０６を介して受信された画像データや電子メールなどが外部記憶媒体２１１に記憶される。外部記憶媒体２１１は、取り外して外部へ持ち出し可能な不揮発メモリであって、一旦、画像データ等が記憶されると、画像表示装置１００本体の電源が遮断された場合であっても、記憶された画像データ等を保持することができるようになっている。また、ＦＬＡＳＨメモリ２０９と同様に、この外部記憶媒体２１１に記憶された画像データや電子メールは、外部メモリ端子２１０を介してディスプレイ２１４への表示に用いられる。
【００１６】
ネットワーク制御部２０５は、ネットワーク２０６（例えば、インターネットなど）を介して画像サーバ２０７及び電子メールサーバ２０８に接続されている。本実施形態の画像表示装置１００では、ネットワーク制御部２０５及びネットワーク２０６を介して画像サーバ２０７から画像データを取得し、ＦＬＡＳＨメモリ２０９、外部記憶媒体２１１などに記憶する。この取得した画像データも、マイクロプロセッサ２０１の制御によりディスプレイ２１４への表示に用いられる。電子メールサーバ２０８は、ネットワーク２０６を介して配送されてきた電子メールを蓄積するサーバである。画像表示装置１００は、ネットワーク２０６を介してこの電子メールサーバ２０８に定期的にアクセスし、登録ユーザの電子メールを受信し、ＦＬＡＳＨメモリ２０９、外部記憶媒体２１１などに蓄積する。
【００１７】
撮像部２１２は、図示しない光学レンズや撮像素子を備え、マイクロプロセッサ２０１の制御によって、撮影対象となる被写体像を光学レンズにて撮像素子上に結像する。撮像部２１２は、被写体として画像表示装置１００の周囲の画像を撮影する。この撮影された画像（以下、「認証用画像データ」と呼ぶ）を基に、視認者の認証が行われる。この撮像部２１２による画像撮影は、本実施形態では、所定の撮影間隔毎に行われるよう制御されているが、感知センサなどにより人物の動きなどを感知した際に行われるよう制御してもよい。このように、本実施形態では、検出部として撮像部２１２を用い、後述するように、撮影された認証用画像データから顔を検出し、登録ユーザであるか判断しているが、本願はこれに限定されることはない。例えば、視認者が携帯する無線ＩＣタグ情報を検出し、この情報を基に登録ユーザであるかを判断するものであってもよいし、指紋、音声、その他の個人識別情報を検出し、認証するよう構成してもよい。
【００１８】
ビデオコントローラ２１３は、マイクロプロセッサ２０１の制御により、ディスプレイ２１４上に表示される画像を必要に応じて生成する。ディスプレイ２１４は、画像データや電子メールが表示される表示装置であり、画像表示装置１００の正面側に取り付けられている。このディスプレイ２１４は、一般的な液晶モニタ等を用いることができる。なお、このディスプレイ２１４上に表示される映像は、データバス２１５を介してビデオコントローラ２１３から出力される。
【００１９】
次に、図２を用いて、マイクロプロセッサ２０１において画像表示処理を実行する各部の機能構成について説明する。図２に示すように、画像表示処理は、各部を制御する制御部２２０と、記憶部３００に記憶された画像データをディスプレイ２１４に表示する画像表示処理部２３０と、撮像部２１２で撮影された認証用画像を解析して、視認者の認証を行う顔認証部２４０と、電子メールの視認の可否を判断して電子メールの表示や非表示などを行う電子メール処理部２５０とにより実行される。
【００２０】
記憶部３００は、前出のＲＯＭ２０３、ＲＡＭ２０４、ＦＬＡＳＨメモリ２０９、外部記憶媒体２１１などを備え、表示用の画像データ、システム情報リスト３０１（図３参照）、電子メール、その他データが記憶される。また、記憶部３００には、電子メールの視認を許可するために予め登録されたユーザ（以下、「登録ユーザ」と呼ぶ）の顔の特徴量と、ユーザＩＤとを対応付けたユーザ認証情報テーブルが記憶されている。また、撮像部２１２で撮影された認証用の画像データと、これを基に顔認証処理で検出された顔の特徴量と、該当する登録ユーザのユーザＩＤとを設定する検出情報テーブルも、記憶部３００に記憶される。
【００２１】
システム情報リスト３０１は、図３に示すようなデータ構造を有しており、登録ユーザ毎に、ユーザアカウント、メールアドレス、パスワード、受信メールサーバ名、送信メールサーバ名、メール受信間隔などが記憶されるアカウント情報領域３０２、ネットワークサーバ名、各種ＩＰアドレス、画像サーバアドレス、その他のネットワーク情報が記憶されるサーバ情報領域３０３、撮像部２１２による画像撮影の可否や撮影間隔などが記憶される撮影情報領域３０４、及び、当該登録ユーザのユーザＩＤが記憶されたユーザＩＤ領域３０５など、各種パラメータが設定された領域を有して構成されている。また、ユーザＩＤ領域３０５のユーザＩＤは、ユーザ認証情報テーブルのユーザＩＤと関連付けられている。そのため、ユーザＩＤ領域３０５のユーザＩＤをキーとしてユーザ認証情報テーブルを検索することで、当該ユーザの特徴量を取得することができる。また、顔認証処理で検出された特徴量をキーとしてユーザ認証情報テーブルを検索し、何れかのユーザＩＤの特徴量と一致すれば、そのユーザＩＤにより何れの登録ユーザの顔が検出されたか知ることができ、このユーザＩＤを基にシステム情報リスト３０１から当該登録ユーザのシステム情報を得ることができる。また、特徴量が何れとも一致しない場合は、未登録の顔が検出されたことがわかる。
【００２２】
次に、本実施形態に係る画像表示装置１００による、画像表示方法を用いた画像表示処理について、図４〜図９のフローチャートを合わせて用いて説明する。まず、電源投入がされると、画像表示装置１００が起動し、マイクロプロセッサ２０１にリセット信号が投入される。この動作により、図４に示すように、マイクロプロセッサ２０１にＲＯＭ２０３からプログラムコードが読み出され、画像表示処理の実行が開始される（ステップＳ１０）。なお、以下の処理の制御は、マイクロプロセッサ２０１に読み出されたプログラムコードにしたがって、制御部２２０が行うものとする。
【００２３】
次に、制御部２２０はシステムの初期化を行う（ステップＳ２０）。この初期化は、ネットワーク制御部２０５、操作制御部２０２，外部メモリ端子２１０、撮像部２１２及びビデオコントローラ２１３のように、各機能を制御する機器を初期化し、動作に必要なパラメータを設定するものである。このシステム初期化処理の手順を、図５に示すフローチャートを用いて説明すると、まず、外部記憶媒体２１１を制御する外部メモリ端子２１０の初期化が行われ（ステップＳ２０１）、次に、機器を設定するためのパラメータが記憶部３００のシステム情報リスト３０１から読み出される（ステップＳ２０２）。このパラメータを基に、ビデオコントローラ２１３の初期化（ステップＳ２０３）、操作制御部２０２の状態初期化（ステップＳ２０４）、ネットワーク制御部２０５の各種データの設定（ステップＳ２０５）、及び、撮像部２１２の初期化（ステップＳ２０６）が順次実行される。
【００２４】
上記初期化処理（ステップＳ２０）が終了すると、制御部２２０は、ディスプレイ２１４への画像表示を行う準備のため、記憶媒体の確認を行う（ステップＳ３０）。具体的には、本実施形態では、ＲＯＭ２０３に格納された標準値に従い、外部記憶媒体２１１からの画像データの読み出しが最初に行われる設定となっている。外部記憶媒体２１１に格納された画像データリストを読み出し、この画像データリストを基に、ディスプレイ２１４に画像を表示するための順番を示した表示リストを作成する。また、外部記憶媒体２１１以外にもＲＯＭ２０３やＦＬＡＳＨメモリ２０９に記憶された画像データやネットワーク２０６を介して取得された画像データも表示に用いられるため、表示リストに加えられる。
【００２５】
このように各種設定等が終了すると、画像表示処理（ステップＳ４０）と、画像撮影及び顔認証処理（ステップＳ５０，Ｓ６０）と、顔認証結果の判定処理（ステップＳ７０）と、電子メール処理（ステップＳ８０）とが実行される。これらの処理は、図４に示すフローチャートでは、直列的に記載されているが、実際は、並列的な処理であり、制御部２２０が割込処理や状態変化を常時監視し、これらに応じて各部に処理を指令し、何れかの処理を単独又は並行に実行する。具体的には、通常は画像表示処理（ステップＳ４０）が実行されており、これと並行して一定時間ごとに画像撮影（ステップＳ５０）と顔認証処理（ステップＳ６０）とが実行される。そして、人物の顔が検出されたり、操作制御部２０２での指示などにより、電子メール処理の実行指示があった場合に、画像表示処理が中断されて、電子メール処理（ステップＳ８０）に遷移する。この遷移の前に、顔認証結果の判定処理（ステップＳ７０）が実行され、未登録ユーザが存在したり、顔が検出されなかったときは、電子メール処理は行われず、画像表示処理に戻る。電子メール処理が終了した際も、画像表示処理に戻る。また、電子メール処理の実行中にも、顔認証処理が実行され、画像表示装置１００の視認者の交代や人数の増減などにより、認証状態が変化した場合も、必要に応じて表示する電子メールを変えたり、電子メール処理を終了して画像表示処理に戻るなどの処理が行われるようにしてもよい。また、電源オフなどの終了指示があった際に、画像表示処理全体を終了するようにしてもよい。
【００２６】
以下、ステップＳ４０〜ステップＳ８０の各処理について、図６〜図９のフローチャートを用いて説明する。まず、画像表示処理部２３０により実行される画像表示処理（ステップＳ４０）について説明する。この処理では、ディスプレイ２１４への画像の表示が、上記ステップＳ３０で作成された表示リストに従って、一定時間毎に画像を入れ替えながら行われる。なお、本実施形態では、このように表示リストに従って、予め決められた順番に画像を表示しているが、これに限定されることはなく、ランダムに表示してもよい。
【００２７】
この画像表示処理の詳細を、図６のフローチャートを用いて説明する。まず、画像表示処理部２３０は、記憶部３００のシステム情報リスト３０１を読み出して、動作に関する設定を行う（ステップＳ４０１）。なお、このステップＳ４０１は、画像表示処理を行う毎に行ってもよいが、画像表示装置１００の起動時に一回のみ行うものであってもよい。次に、制御部２２０は、現在、電子メールの表示中であるか判定し（ステップＳ４０２）、電子メールの表示中である場合は、画像表示処理を終了する。電子メールの表示中ではない場合は、画像データの読み出し処理（ステップＳ４０３）に進む。
【００２８】
ステップＳ４０３では、画像表示処理部２３０は表示リストに基づいて外部記憶媒体２１１から必要な画像データを読み出す。次に、この読み出された画像データのサイズや形式に基づいて、当該画像データをビデオコントローラ２１３からの出力に最適な画像サイズや形式に変換し、ディスプレイ２１４への表示用の画像を生成する（ステップＳ４０４）。次に、システム情報リスト３０１を参照して、当該画像に表示効果設定があるか否かを判断し（ステップＳ４０５）、表示効果設定がある場合には、当該画像について効果付き表示処理を行い（ステップＳ４０６）、表示効果設定がない場合は、当該画像について単純な表示処理を行う（ステップＳ４０７）。
【００２９】
次に、画像撮影処理（ステップＳ５０）について図７のフローチャートを用いて説明する。まず、図３に示すシステム情報リスト３０１の撮影情報領域３０４を確認して、撮像部２１２の状態や撮影間隔を確認する（ステップＳ５０１）。この情報を基に、制御部２２０の制御により、撮像部２１２が撮影間隔毎に定期的に認証用画像の撮影を行う（ステップＳ５０２）。そして、この認証用画像のデータを画像特徴量取得に最適な形式に変換し（ステップＳ５０３）、当該変換後の認証用画像データを記憶部３００に記憶する（ステップＳ５０４）。
【００３０】
次に、顔認証部２４０により実行される顔認証処理（ステップＳ６０）について、図８のフローチャートを用いて説明する。顔認証部２４０は、まず、ユーザ情報リスト３０１から必要な情報を取得する（ステップＳ６０１）。次に、上記ステップＳ５０で取得した認証用画像データを記憶部３００から読み出し（ステップＳ６０２）、この認証用画像データを解析して特徴量を抽出し、この特徴量を基に人物の顔を検索する（ステップＳ６０３）。この顔検出方法は、従来公知の適宜の検出方法を用いることができる。また、この顔検出の際は、当該顔のサイズが閾値以上のサイズのもののみを検出するようにしてもよい。なぜなら、電子メールを見たい者は、画像表示装置１００に顔を近づけるため、その人物の顔はある程度大きく検出されるからである。逆に、閾値より小さい顔の人物は、画像表示装置１００から離れた場所にいる人物や通りすがりの人物である可能性が高い。そのような人物に対して電子メールを表示する必要がないし、電子メールの視認を希望する登録ユーザの電子メールを表示しても、これらの人物に読まれる心配はない。また、このような閾値より小さい顔の人物を認証対象とした場合、この人物が未登録ユーザの場合は、本来視認を希望している登録ユーザが電子メールを視認できなくなる場合がある。
【００３１】
次に、顔認証部２４０は、記憶部３００からユーザ認証情報テーブルを読み出し、登録ユーザのユーザＩＤと特徴量とを取得する（ステップＳ６０４）。この登録ユーザの情報を基に、ステップＳ６０３で検出された全ての顔について、以下の処理を行う。まず、ステップＳ６０５の判断処理で、検出された顔がある場合は、当該顔の特徴量をキーとして、ユーザ認証情報テーブルを検索し、特徴量が一致するものがあるか照合する（ステップＳ６０６）。この照合の結果、特徴量が一致するものがある場合は、ユーザ認証情報テーブルからその特徴量を有する登録ユーザのユーザＩＤを取得し、当該顔の特徴量とユーザＩＤとを関連付けて検出情報テーブルに記憶する。一方、何れの特徴量とも一致しない場合は検出情報テーブルには、当該顔の特徴量と、ユーザＩＤとして、例えば「ヌル」を記憶する（以上、ステップＳ６０７）。そして、検出された顔全てについてステップＳ６０６，Ｓ６０７の処理が終了したら、顔認証処理（ステップＳ６０）を終了する。
【００３２】
以上の顔認証処理（ステップＳ６０）により、検出情報テーブルには、検出された全ての顔の特徴量とユーザＩＤとが設定される。このユーザＩＤを参照すれば、どの登録ユーザが検出されたかわかり、ユーザＩＤが「ヌル」の場合は、未登録ユーザが検出されたことがわかる。また、登録ユーザについては、ユーザＩＤを基に、システム情報リスト３０１を検索して、電子メールアドレスなどのユーザ情報を取得することができる。
【００３３】
次に、電子メール処理部２５０により実行される電子メール処理（ステップＳ８０）について、図９のフローチャートを用いて説明する。なお、前述したように、顔認証処理（ステップＳ６０）の結果を基に、ステップＳ７０で未登録の顔が検出されと判断された場合、即ち、検出情報テーブルに、特徴量が設定されているがユーザＩＤが「ヌル」のものが１つでもあった場合は、未登録ユーザに電子メールを見られるのを防ぐため、この電子メール処理（ステップＳ８０）は実行されず、検出された顔の全てが登録ユーザのものだった場合のみ実行される。また、顔が検出されなかった場合も電子メール処理は行われない（図４参照）。
【００３４】
電子メール処理（ステップＳ８０）では、まず、検出情報テーブルに設定されたユーザＩＤの登録ユーザ全てについて、ユーザ情報リスト３０１のアカウント情報領域３０２から、ユーザアカウント、メールアドレス、パスワード、送受信サーバ名、メール受信間隔などを取得する（ステップＳ８０１）。本実施形態では、図１の２０８が電子メールサーバとして指定されている。電子メール処理部２５０は、取得したメール受信間隔毎に、この電子メールサーバ２０８に接続し、電子メール到着確認を行う（ステップＳ８０２）。この処理を行う度に、ステップＳ８０１で取得されたアカウント情報を基に電子メールサーバ２０８による認証が行われるため、その結果を取得する（ステップＳ８０３）。この結果を基に認証がされたか否か判定し（ステップＳ８０４）、認証された場合は電子メールの有無を確認し、電子メールの到着が検出されたら、電子メールサーバ３０８から電子メールを取得する（ステップＳ８０５）。一方、認証されない場合、すなわち、通信路が途絶したなどのエラーが発生した場合は、電子メールの受信は行われず、エラーメッセージを通知するなど、エラーに対応したエラー処理を行う（ステップＳ８０６）。
【００３５】
そして、ステップＳ８０５で電子メールの到着が通知され、電子メールが受信された場合は、これらの電子メールが記憶部３００に記憶される（ステップＳ８０７）。各電子メールは、ユーザＩＤ毎（メールアドレス毎）に、メールボックスに振り分けて記憶される。また、このとき、電子メールのヘッダ部分に設定された発信元、宛先、発信者名及び発信日時と、本文と、添付ファイルとが、デコード（復号化）されて記憶される。また、この電子メールを受信したことを、ビデオコントローラ２１３を介して、ディスプレイ２１４に記号などを表示することで、視認者に知らせるようにしてもよい。なお、ステップＳ８０５で電子メールが到着していないことが確認された場合は、このステップＳ８０７は行われない。
【００３６】
次に、ステップＳ８０８〜Ｓ８０９の処理を行って、ディスプレイ２１４に電子メールの内容を表示する。この電子メールの表示は、検出された登録ユーザ全員のメールアドレスが宛先（ＴＯ，ＣＣいずれでもよい）に設定された電子メールのみを表示する。そのため、検出された登録ユーザの一人でも、宛先に指定されていない電子メールについては、表示は行われない。具体的な処理手順を以下に説明する。
【００３７】
まず、メールボックスを検索して、表示対象の電子メールを取得する（ステップＳ８０８）。この場合の表示対象となる電子メールは、前述のように、検出された登録ユーザ全員が宛先（ＴＯ又はＣＣ）に設定されたもののみである。また、メールボックスを検索する場合、検出された登録ユーザ全てのメールボックスを検索対象としてもよいが、処理効率を向上させる観点から、本実施形態では検出情報テーブルに記憶された一番目の登録ユーザのメールボックスのみを検索する。なぜなら、この登録ユーザの電子メールの宛先であるＴＯ及びＣＣを参照すれば、今回検出された登録ユーザ全員に宛てた電子メールか否か判別でき、その結果、登録ユーザ全員に宛てた電子メールのみを取得することができるからである。なお、検出された登録ユーザが一人のみの場合は、当該登録ユーザのメールボックスの全ての電子メールが表示対象となる。
【００３８】
次に、上記で取得した電子メールを、ビデオコントローラ２１３を介してディスプレイ２１４に表示する（ステップＳ８０９）。この表示は、一般的な電子メールの表示方法と同様に、題名、送信者情報、受信者情報、送信日時などを一覧で表示し、何れかの電子メールをクリックや画面タッチ等で選択することにより、本文の内容がディスプレイ２１４に表示されるような構成とすることができる。更には、電子メールに添付された画像データ等の添付ファイルを表示することができるようにしてもよい。また、届いた電子メールの総数や、何通中何通目のメールを表示しているかなどの情報を表示するようにしてもよい。
【００３９】
以上により、電子メールの視認を希望する登録ユーザは、当該登録ユーザ全員に宛てた電子メールを視認することができる。視認者が一人の場合は、当該視認者宛の電子メールを全て視認することができる。また、視認中の何れかの登録ユーザ宛ての電子メールであっても、視認者の中に宛先人ではない登録ユーザがいる場合は、その電子メールは表示されず、宛先人以外の人物による視認を防止することができる。一方、表示対象となる電子メールが一つも存在しない場合は、直ちに電子メール処理（ステップＳ８０）を終了する。このとき、表示対象電子メールが存在しない旨を視認者に通知してもよい。
【００４０】
なお、視認者が席を離れたり他の視認者が新たに視認者に加わったりすることで、視認者に変更がある場合がある。しかし、電子メール処理と並行して一定時間ごとに画像撮影と顔認証処理とが実行されていることから、視認者の再認証を行って、この認証結果に応じて電子メールの表示内容などを変化させることもできる。また、視認者全てが離れた場合、または、視認者が視認終了動作を行った場合は、電子メール処理（ステップＳ８０）を終了する。これにより、画像表示モードに戻るため、他人に電子メールが視認されるのを防ぐことができる。
【００４１】
上記実施形態では、画像表示装置１００の画像表示処理により実行される画像表示方法は、マイクロプロセッサ２０１で実行されるプログラムとして実装されている。ここで、このプログラムは、例えばフレキシブルディスク、ＣＤ−ＲＯＭ、光磁気ディスク、半導体メモリ、ハードディスク等の記憶媒体または記憶装置（記憶部３００）に格納することができる。また、ネットワーク２０６などを介してディジタル信号として配信される場合もある。このとき、中間的な処理結果はメモリ等の記憶装置に一時保管される。あるいは、このプログラムを専用のＩＣチップ（例えば、ＡＳＩＣ等）として構成しても良い。また、画像表示装置１００としてデジタルフォトフレームの例を挙げたが、携帯電話や携帯音楽機器で実施することもできる。
【符号の説明】
【００４２】
１００  画像表示装置    ２１２  撮像装置（検出部）
２１４  ディスプレイ（表示部）    ２０１  マイクロプロセッサ（制御部）
３００  記憶部
【図１】
2011053925.tif 000003
【図２】
2011053925.tif 000004
【図３】
2011053925.tif 000005
【図４】
2011053925.tif 000006
【図５】
2011053925.tif 000007
【図６】
2011053925.tif 000008
【図７】
2011053925.tif 000009
【図８】
2011053925.tif 000010
【図９】
2011053925.tif 000011